(57)【要約】【課題】  電気機器収納箱を高所に設置しても暴風雨時の吹き返しにより雨滴が箱内まで達することを確実に防止できる電気機器収納箱の水抜き装置を提供する。【解決手段】  電気機器収納箱１００の水抜き孔１０１に上端開口１１を臨ませる有底筒体１０の筒部１２に一次排水孔１３を設けてなる水抜本体部材１の該有底筒体１０を、前記一次排水孔１３より下方に二次排水孔２３を設けたカバー部材２により覆う。【選択図】  図１
2005302946.tif 000002
【特許請求の範囲】
【請求項１】
電気機器収納箱の水抜き孔に上端開口を臨ませる有底筒体の筒部に一次排水孔を設けてなる水抜本体部材の該有底筒体を、前記一次排水孔より下方に二次排水孔を設けたカバー部材により覆ったことを特徴とする電気機器収納箱の水抜き装置。
【請求項２】
水抜本体部材の底板部を中央が上向きの山型曲面に形成して一次排水孔を該底板部の周縁と略同一位置に該底板部に沿って形成し、また、カバー部材の二次排水孔をカバー部材の底部に設けた請求項１に記載の電気機器収納箱の水抜き装置。
【発明の詳細な説明】
【技術分野】
【０００１】
本発明は、屋外に設置する分電盤、配電盤、通信盤等の電気機器収納箱の水抜き装置に関するものである。
【背景技術】
【０００２】
屋外に設置する分電盤、配電盤、通信盤等電気機器収納箱の底部には内部に侵入した雨水や、収納した機器類の発熱による上昇した箱内空気と外気との温度差により発生する凝結水を排出する水抜き孔を設ける場合がある。しかしながら、この水抜き孔は下方からの吹き返しにより雨水が浸入する虞がある。そこで、これを防止するものとして特許文献１に示すような水抜き孔に水返板を互い違いに配設したパイプを接続したものがある。
【０００３】
ところが、この特許文献１に示されているものは、特に、電気機器収納箱を高所に設置している場合には暴風雨時における吹き返しにより雨滴がパイプの内壁面に様々な角度で当り水返板の間をすり抜けて箱内まで到達する虞がある。
【特許文献１】実開平２−４９１７９公開実用新案公報（第１図）
【発明の開示】
【発明が解決しようとする課題】
【０００４】
本発明は前記のような問題点を解決して、電気機器収納箱を高所に設置しても暴風雨時の吹き返しにより雨滴が箱内まで達することを確実に防止できる電気機器収納箱の水抜き装置を提供することである。
【課題を解決するための手段】
【０００５】
本発明の電気機器収納箱の水抜き装置は、電気機器収納箱の水抜き孔に上端開口を臨ませる有底筒体の筒部に一次排水孔を設けてなる水抜本体部材の該有底筒体を、前記一次排水孔より下方に二次排水孔を設けたカバー部材により覆ったことを特徴とするものを請求項１に記載の基本の発明とし、この発明において、水抜本体部材の底板部を中央が上向きの山型曲面に形成して一次排水孔を該底板部の周縁と略同一位置に該底板部に沿って形成し、また、カバー部材の二次排水孔をカバー部材の底部に設けたものを請求項２に記載の発明とする。
【発明の効果】
【０００６】
請求項１に記載の発明は、電気機器収納箱内に浸入した雨水や凝結水等の水は水抜き孔を介して有底筒体の上部開口より有底筒体内に流入して、該有底筒体の筒部に設けた一次排水孔から水抜本体部材とカバー部材の間に流れ込んだうえ該カバー部材に設けた二次排水孔から外部に的確に排水することができるものである。そして、前記水抜本体部材の一次排水孔は有底筒体の筒部に設けたものであり、カバー部材の二次排水孔は一次排水孔より下方に設けたものであるから、電気機器収納箱を高所に設置して、暴風雨時の吹き返しにより雨滴が二次排水孔から浸入しても水抜本体部材の一次排水孔に達することが殆んどなく、万一にも一次排水孔を通過した雨滴があっても該一次排水孔は有底筒体の筒部に設けたものであるので雨滴は横方向から水抜本体部材に入り込むので水抜本体部材の上部開口まで達して箱内に浸入する虞がないものである。
【０００７】
また、請求項２に記載の発明は、一次排水孔を中央が上向きの山型曲面に形成した底板部の周縁と略同一位置に該底板部に沿って形成したものであるから、電気機器収納箱内に浸入した雨水や凝結水等の水は水抜本体部材に滞留することなく該一次排水孔から水抜本体部材とカバー部材の間に流れ込んだうえ前記水抜本体部材の底板部の下方に位置させたカバー部材の底部に設けた二次排水孔から外部に的確に排水することができるものである。そして、暴風雨時の吹き返しにより雨滴が二次排水孔から浸入しても殆んどの雨滴は水抜本体部材の底板部に当り、水抜本体部材の一次排水孔に達することがないものであり、カバー本体と筒部との間に入り込んだ雨滴が一次排水孔を通過しても底板部の中央に当り勢いを減じて有底筒体の上部開口まで達して箱内に浸入する虞がないものである。
【発明を実施するための最良の形態】
【０００８】
次に、本発明の好ましい実施の形態を図面に基づき説明する。
１は電気機器収納箱１００の水抜き孔１０１に上端開口１１を臨ませる有底筒体１０の筒部１２に一次排水孔１３を設けた水抜本体部材である。２は該水抜本体部材１の有底筒体１０の外面を覆う逆帽子状のカバー部材であり、該カバー部材２には前記一次排水孔１３より下方に位置する二次排水孔２３が設けてある。
【０００９】
前記水抜本体部材１は円孔とした水抜き孔１０１に嵌合できる円筒状の有底筒体１０の上端外周に前記水抜き孔１０１の上端孔縁に係止する舌片１０ａを複数すなわち４個を張設して、また、該該有底筒体１０の筒部１２の外周に雄ねじ部１０ｂを設けたものである。そして、前記有底筒体１０すなわち水抜本体部材１の底板部１４は中央が上向きの山型曲面にすなわちドーム状に形成している。また、筒部１２に設ける一次排水孔１３はドーム状に形成した底板部１４の内面周縁に沿って該底板部１４と略同一位置にスリット状として形成したものを２箇所に対向させて設けている。
【００１０】
一方、カバー部材２は前記筒部１２の外周に設けた雄ねじ部１０ｂに螺合する雌ねじ部２０ａを設けた逆帽子体２０の底部２１の中央に二次排水孔２３を設けた構成としたものである。そして、該カバー部材２は雌ねじ部２０ａを水抜本体部材１の筒部１２の雄ねじ部１０ｂに螺合して有底筒体１０の外面を覆って、有底筒体１０の筒部１２に一次排水孔１３を設けた水抜本体部材１を、該一次排水孔１３より下方に二次排水孔２３を設けたカバー部材２により覆ったものとしている。
【００１１】
水抜本体部材１の有底筒体１０をカバー部材２で覆うための取付手段としては、図示のものは、有底筒体１０の筒部１２の外周に設けた雄ねじ部１０ｂにカバー部材２の雌ねじ部２０ａを螺合させたものとして、水抜き孔１０１の孔縁を舌片１０ａとカバー部材２の上端面との間に挟持させているので、電気機器収納箱１００の底板に最も加工の容易な円孔の水抜き孔１０１を開けるだけでよいうえ、板厚の異なる底板にも対応できるので好ましいものである。また、水抜き孔１０１の孔縁下面とカバー部材２の上端面との間にパッキン材を介在させて水抜き孔１０１の孔縁の水密性を高くすることもできる。
【００１２】
なお、水抜本体部材１の有底筒体１０をカバー部材２で覆うための取付手段はこのようなものに限定されるものではなく、有底筒体１０をカバー部材２で的確に覆うことができれば、ラッチでもよく、さらにはビス止めしてもよいものである。
【００１３】
このように構成されたものは、電気機器収納箱１００内に浸入した雨水や凝結水は水抜き孔１０１を介して水抜本体部材１の上部開口１１より水抜本体部材１内すなわち有底筒体１０内に流入して、該水抜本体部材１に設けた有底筒体１０の筒部１２に設けた一次排水孔１３から水抜本体部材１とカバー部材２との間に流れ込んだうえ該カバー部材２に設けた二次排水孔２３から外部に的確に排水することができる。
【００１４】
本発明の特長とするところは、水抜本体部材１の一次排水孔１３は有底筒体１０の筒部１２に設けたものであり、カバー部材２の二次排水孔２３は一次排水孔１３より下方に設けたことであり、このことから、電気機器収納箱を高所に設置して、暴風雨時の吹き返しにより雨滴が二次排水孔２３から浸入しても水抜本体部材１の一次排水孔１３に達することが殆んどなく、万一にも一次排水孔１３を通過した雨滴があっても該一次排水孔１３は有底筒体１０の筒部１２に設けたものであるので雨滴は横方向から水抜本体部材１に入り込むので水抜本体部材１の上部開口１１まで達して箱１００内に浸入する虞がないものである。
【００１５】
また、前記有底筒体１０すなわち水抜本体部材１の底板部１４を中央が上向きの山型曲面にすなわちドーム状に形成して、筒部１２に設ける一次排水孔１３をドーム状に形成した底板部１４の内面周縁に沿って該底板部１４と略同一位置にスリット状として形成したものとして２箇所に対向させて設けていれば有底筒体１０に流入した水は底板部１４の周縁に集まり該一次排水孔１３から水抜本体部材１とカバー部材２との間に流れ込んで水抜本体部材１に滞留することなくカバー部材２の底部２１に設けた二次排水孔２３から外部に的確に排水することができるものである。
【００１６】
また、暴風雨時の吹き返しにより雨滴が二次排水孔２３から浸入しても殆んどの雨滴は水抜本体部材１の底板部１４に当り、水抜本体部材１の一次排水孔１３に達することがないものであり、特に底板部１４をドーム状に形成することにより雨滴は凹面にあたり二次排水孔２３に向けて落下して排水されるものである。それにも係わらずカバー本体２と筒部１２との間に入り込んだ雨滴があって、万一にも一次排水孔１３を通過して有底筒体１０に浸入してもドーム状の底板部１４の中央にあたり勢いを減じられて水抜本体部材１の上部開口１１まで達して箱内に浸入する虞がないものである。
【図面の簡単な説明】
【００１７】
【図１】本発明の実施形態を示す断面図である。
【図２】図１と異なる角度から示す一部切欠側面図である。
【図３】水抜本体部材とカバー部材を示す斜視図である。
【符号の説明】
【００１８】
１  水抜本体部材
10  有底筒体
11  上端開口
12  筒部
13  一次排水孔
14  底板部
２  カバー部材
21  底部
23  二次排水孔
【図１】
2005302946.tif 000003
【図２】
2005302946.tif 000004
【図３】
2005302946.tif 000005